(57)【要約】【課題】補助表示装置のみを交換することが可能な遊技機における補助表示装置付きの装飾部材を提供すること。【解決手段】本発明の遊技機１１における補助表示装置付きの装飾部材３１は、遊技機の図柄表示装置１８を装飾する装飾部材本体３２と、装飾部材本体３２に組み付けられ図柄表示装置１８による図柄組合せ遊技演出を補助する補助表示装置３３とを備える。補助表示装置３３は、補助表示を行う補助表示部４１と、その補助表示部４１を収容する収容ケース４５とを有する。収容ケース４５は装飾部材本体３２に対して固定手段５１，５２により着脱可能に固定されている。【選択図】　図３
2004073347.tif 000002
【特許請求の範囲】
【請求項１】
遊技機の図柄表示装置を装飾する装飾部材本体と、前記装飾部材本体に組み付けられ前記図柄表示装置による図柄組合せ遊技演出を補助する補助表示装置とを備える装飾部材において、
補助表示を行う補助表示部とその補助表示部を収容する収容ケースとを有する補助表示装置を備えるとともに、前記収容ケースを前記装飾部材本体に対して着脱可能に固定する固定手段を備えたことを特徴とする、遊技機における補助表示装置付きの装飾部材。
【請求項２】
前記補助表示装置は、少なくとも１つの表示面域を有する回転表示体を前記補助表示部として備える一方、前記収容ケースは、弾性を有するとともに前記回転表示体を収容可能な開口部を備え、前記開口部には、前記回転表示体を回転可能に支持する第１回転支持部及び第２回転支持部が対向して形成されていることを特徴とする請求項１に記載の遊技機における補助表示装置付きの装飾部材。
【請求項３】
前記第１回転支持部及び前記第２回転支持部のうち少なくともいずれか一方は、前記収容ケースの開口部から外方に向けて延出された箇所に形成されていることを特徴とする請求項２に記載の遊技機における補助表示装置付きの装飾部材。
【請求項４】
前記第１回転支持部は、前記回転表示体の一端に形成された第１回転軸受部により回転可能に支持される第１回転軸部または前記回転表示体の一端に形成された第１回転軸部を回転可能に支持する第１回転軸受部であり、前記第２回転支持部は、前記回転表示体の他端に形成された第２回転軸受軸部により回転可能に支持される第２回転軸部または前記回転表示体の他端に形成された第２回転軸部を回転可能に支持する第２回転軸受部であり、前記第１回転軸部の長さは、前記第２回転軸部の長さに比べて短く形成されていることを特徴とする請求項２または３に記載の遊技機における補助表示装置付きの装飾部材。
【請求項５】
前記収容ケースは係合手段を有する複数の分割体からなり、前記各分割体は前記係合手段同士の係合によって互いに連結されていることを特徴とする請求項１乃至４のいずれか１項に記載の遊技機における補助表示装置付きの装飾部材。
【発明の詳細な説明】
【０００１】
【発明の属する技術分野】
本発明は、パチンコ機やスロットマシン等に代表される遊技機における補助表示装置付きの装飾部材に関する。
【０００２】
【従来の技術】
近年の遊技機においては、図柄表示装置による遊技演出を補助する補助表示装置を用いることにより、遊技演出にバリエーションを持たせて遊技者の興趣を高めることが考えられている。前記補助表示装置としては、例えば、小型のドラム式表示装置等の回転表示体を用いたものが挙げられる。前記回転表示体は、図柄表示装置の装飾部材に一体成形された収容部に収容され、該収容部に形成された軸受部に回転軸部を挿入した状態で、回転軸部が軸受部から抜けるのを防止するため、ネジ等によって回転可能に固定されることが多い。即ち、前記回転表示体は、図柄表示装置の装飾部材に直接固定され、該装飾部材と一体として扱われるように構成されている。また、前記回転表示体を駆動させるための駆動手段及び駆動伝達手段についても、ネジ等によって装飾部材に直接固定される。
【０００３】
【発明が解決しようとする課題】
ところが、このような構成にあっては、補助表示装置にトラブルが発生した場合には、補助表示装置のみならず何ら問題のない装飾部材をも合わせて交換する必要があり、コスト的に問題があった。また、近年注目を浴びている環境問題の観点から見ても、何ら問題のない装飾部材についてはリユースすることが好ましい。さらにまた、補助表示装置のメンテナンスや修理を行う際には、遊技機から大きな装飾部材を取り外し、補助表示装置が該装飾部材に固定された状態で作業を行う必要があり、作業効率にも問題があった。
【０００４】
本発明は上記の課題に鑑みてなされたものであり、その目的は、補助表示装置のみを交換することが可能な遊技機における補助表示装置付きの装飾部材を提供することにある。
【０００５】
【課題を解決するための手段】
上記の課題を解決するために、請求項１に記載の発明は、遊技機の図柄表示装置を装飾する装飾部材本体と、前記装飾部材本体に組み付けられ前記図柄表示装置による図柄組合せ遊技演出を補助する補助表示装置とを備える装飾部材において、補助表示を行う補助表示部とその補助表示部を収容する収容ケースとを有する補助表示装置を備えるとともに、前記収容ケースを前記装飾部材本体に対して着脱可能に固定する固定手段を備えたことを特徴とする、遊技機における補助表示装置付きの装飾部材をその要旨とする。
【０００６】
従って、請求項１に記載の発明によると、収容ケースに補助表示部を収容することで補助表示装置がユニット化され、そのユニット化された補助表示装置が固定手段によって装飾部材本体に着脱可能に固定される。このため、補助表示装置にトラブルが発生した場合には、固定手段による固定を解除して、補助表示装置のみを装飾部材本体から取り外して交換することができる。そして、装飾部材本体についてはリユースすることができる。よって、コスト的にも環境的にも有利である。また、装飾部材本体から補助表示装置のみを取り外した状態で補助表示装置のメンテナンスや修理等を行うことができるため、効率よくこれらの作業を行うことができる。
【０００７】
ここで「補助表示部」とは、図柄、文字、数字、画像などを可変表示できる表示部を有しているものであって、その可変表示により図柄表示装置による図柄組合せ遊技演出を補助しうるものであれば、基本的にその形式を問わない。補助表示部の好適な具体的としては、少なくとも１つの表示面域を有する回転表示体などがある。このほかにも、ドラムやベルト等のような機械式表示装置、ＬＥＤやＣＲＴ等のような電子式表示装置（画像表示装置）などが挙げられる。
【０００８】
上記のような回転表示体を採用した場合の補助表示装置は、さらに前記回転表示体を回転駆動させる駆動手段と、前記駆動手段の駆動力を前記回転表示体に伝達する駆動伝達手段とを有していることがよい。回転表示体に加えて駆動手段及び駆動伝達手段もまとめてユニット化しておけば、メンテナンスや修理等を行う際に都合がよいからである。
【０００９】
前記「収容ケース」とは、その内部に補助表示部の少なくとも一部を収容しうる空間を有する構造物をいう。従って、収容ケースと言った場合には補助表示部を全体的に収容するものを指すばかりでなく、補助表示部を部分的に収容するものも含まれる。なお、上記のごとく回転表示体を採用した場合には、駆動手段や駆動伝達手段も収容ケース内に収容されていることがよい。
【００１０】
前記収容ケースは装飾部材本体に設けられたケース嵌入部に対して嵌入された状態で固定手段により固定されることがよい。嵌入によって保持を図る構造であれば、収容ケースを装飾部材本体に対して確実にかつ安定的に保持できるからである。また、このようなケース嵌入部は、装飾部材本体の任意の箇所に形成可能であり、例えば図柄表示装置の表示領域を包囲する枠状の装飾部材本体である場合には、その上端部、側端部及び下端部のいずれの箇所にも形成されることができる。
【００１１】
ケース嵌入部へ収容ケースを嵌入するときの方向は特に限定されず、任意の方向から嵌入することが可能であるが、好ましくはケース嵌入部の入口部（つまり収容ケースを嵌め込むときの入口部）を装飾部材本体の後面側に形成し、その入口部を介して装飾部材本体の後方から前方へと収容ケースを嵌入することがよい。その理由は、例えば入口部を装飾部材本体の前面側に形成した場合とは異なり入口部が遊技者側から不可視となるため、デザイン上の制約を受けることもなく、ある程度大きな入口部を形成することもできるからである。
【００１２】
前記「固定手段」としては、収容ケースを装飾部材本体に対して着脱可能に固定しうる構造であれば特に限定されず、従来公知の任意の固定手段を採用することができる。かかる固定手段の好適な例としては、前記収容ケースに形成された被係合部と、前記収容ケースの被係合部と係合可能であって前記装飾部材に形成された係合部とからなる固定手段などを挙げることができる。被係合部と係合部とからなる固定手段であれば、比較的簡単な構成で固定方法も簡易であり、大幅なコスト増も伴わないからである。
【００１３】
被係合部及び係合部の数・位置は特に限定されないが、より確実な固定を図るためには、被係合部及び係合部をそれぞれ複数個としてこれらを離間した位置に配設することが望ましい。より具体的には、一対の被係合部を収容ケースの両端に形成するとともに、一対の係合部を前記ケース嵌入部の入口部の両端に形成すること等がよい。
【００１４】
前記固定手段は、被係合部及び係合部に加えて、被係合部を係合部に係合させる際に被係合部を係合位置まで案内するガイド部をさらに備えていることがよい。かかるガイド部があると、被係合部を所定の係合位置に容易に導くことができ、作業性が向上するからである。なお、ケース嵌入部の入口部に対して装飾部材本体の後方から前方へと収容ケースを嵌入する構造を採用した場合、前記係合部を前記ガイド部のすぐ後側に配置し、それを前記被係合部の後端に係合させるようにすることがよい。この構成であると、収容ケースの前後方向のガタツキを確実に防止することができる。
【００１５】
請求項２に記載の発明は、請求項１において、前記補助表示装置は、少なくとも１つの表示面域を有する回転表示体を前記補助表示部として備える一方、前記収容ケースは、弾性を有するとともに前記回転表示体を収容可能な開口部を備え、前記開口部には、前記回転表示体を回転可能に支持する第１回転支持部及び第２回転支持部が対向して形成されていることをその要旨とする。
【００１６】
前記収容ケースは、弾性を有しているから、加圧により弾性変形可能である。従って、請求項２に記載の発明によると、収容ケースにおける開口部は他の部分に比べて構造上剛性が低いため、そこに形成された第１及び第２回転支持体は加圧によって比較的容易に弾性変形を生じる。従って、両回転支持体のうちの少なくとも一方を、回転表示体から離間する方向に加圧して弾性変形させれば、回転表示体の支持を解除して収容ケースから回転表示体を容易に取り外すことができる。逆に第１及び第２回転支持部の弾性変形を用いて回転表示体を収容ケースに容易に組み付けることもできる。
【００１７】
収容ケースにおける開口部の形成位置は任意であり特に限定されないが、好ましくは収容ケースの前面側であることがよい。その理由は、回転表示体を極力前方に位置させたほうが、回転表示体と遊技者との距離が短くなり、遊技者にとって回転表示体が見やすくなるからである。収容ケース前面側の開口部に一対の回転支持部を形成する場合、前側から見たときに、それらは開口部の端部ではなく開口部の端部から離間した位置に配置されることが望ましい。その理由は、開口部の端部から離間した位置のほうが加圧したときの変形量が大きく、その位置に回転表示体を配置しておけば回転表示体の着脱をより容易に行うことができるからである。また、同じ量だけ弾性変形させたい場合であっても、弱い加圧力でよくなるからである。
【００１８】
ここで「回転支持部」とは、回転表示体を回転可能に支持する構造をいい、具体的には、軸部を有する回転表示体を用いた場合にはその軸部が挿入される軸受部であり、軸受部を有する回転表示体を用いた場合にはその軸受部に挿入される軸部である。なお、第１回転支持部及び第２回転支持部は、両方とも軸受部であってもよく、両方とも軸部であってもよく、いずれか一方のみが軸受部で他方が軸部であってもよい。
【００１９】
請求項３に記載の発明は、請求項２において、前記第１回転支持部及び前記第２回転支持部のうち少なくともいずれか一方は、前記収容ケースの開口部から外方に向けて延出された箇所に形成されていることをその要旨とする。
【００２０】
従って、請求項３に記載の発明によると、外方に向けて延出された箇所には加圧時に応力が集中しやすいことから、より弱い加圧力で弾性変形を生じさせることができる。従って、回転表示体の支持をいっそう簡単に解除することができ、回転表示体の取り外し・組み付け作業の容易化を図ることができる。
【００２１】
この場合、収容ケースの開口部における延出箇所に形成された第１回転支持部及び第２回転支持部は、装飾部材本体に設けられた回転表示体視認用の窓部内に挿入されることが望ましい。このように構成すると、収容ケースの嵌合状態においては、回転支持部が回転表示体から離間する方向に加圧されたとしても、回転支持部が窓部の内壁面に接触するため、回転支持部が弾性変形できなくなる。よって、回転表示体を確実に支持することができる。また、上記のように装飾部材本体に収容ケースの一部が挿入された構造であると、収容ケースの装飾部材本体に対するガタツキを防止することができる。
【００２２】
請求項４に記載の発明は、請求項２または３において、前記第１回転支持部は、前記回転表示体の一端に形成された第１回転軸受部により回転可能に支持される第１回転軸部または前記回転表示体の一端に形成された第１回転軸部を回転可能に支持する第１回転軸受部であり、前記第２回転支持部は、前記回転表示体の他端に形成された第２回転軸受軸部により回転可能に支持される第２回転軸部または前記回転表示体の他端に形成された第２回転軸部を回転可能に支持する第２回転軸受部であり、前記第１回転軸部の長さは、前記第２回転軸部の長さに比べて短く形成されていることをその要旨とする。
【００２３】
従って、請求項４に記載の発明によると、第１回転軸部の長さを第２回転軸部の長さに比べて短く形成しているため、第２回転支持部側の支持の解除に比べて、第１回転支持部側の支持の解除を容易に行うことができる。即ち、第１回転支持部側の支持の解除をする際に必要な第１回転軸部と第１回転軸受部の相対移動距離は、第２回転支持部側の支持の解除をする際に必要な第２回転軸部と第２回転軸受部の相対移動距離よりも短くて済むからである。よって、第１回転支持部側から回転表示体を簡単に取り外すことができる。また、この構成によれば、前述した取り外しと逆の過程を辿ることにより、回転表示体を収容ケースに容易に組み付けることができる。
【００２４】
なお、収容ケース側に第１回転軸受部と第２回転軸受部とを設ける構成、収容ケース側に第１回転軸部と第２回転軸部とを設ける構成、収容ケース側に第１回転軸受部と第２回転軸部とを設ける構成、収容ケース側に第１回転軸部と第２回転軸受部とを設ける構成、の４種のうちのいずれかを選択することができる。この場合、収容ケース側に第１回転軸受部と第２回転軸受部とを設ける構成、言い換えると収容ケース側に第１回転軸部も第２回転軸受部も設けない構成を採用することが好ましい。その理由は、収容ケース側に第１回転軸部及び／又は第２回転軸部を設ける構成に比べて、回転表示体の着脱を無理なく行うことができるとともに、回転軸部の変形を回避することができるからである。
【００２５】
請求項５に記載の発明は、請求項１乃至４のいずれか１項において、前記収容ケースは係合手段を有する複数の分割体からなり、前記各分割体は前記係合手段同士の係合によって互いに連結されていることをその要旨とする。
【００２６】
従って、請求項５に記載の発明によると、係合手段による係合を解除して各分割体を分離することにより、収容ケースを開けることができる。このため、収容ケース内に収容されている補助表示部以外の構成部材（例えば駆動手段や駆動伝達手段など）についても露出させることができ、極めて簡単に着脱することができる。また、第１回転支持部及び第２回転支持部が加圧された際にこの係合手段も弾性変形するように構成しておけば、１つの部材のみからなる収容ケースに比べて弱い力で変形を起こさせることができる。よって、回転支持部による回転表示体の支持をいっそう容易に解除することができる。さらに、複数の分割体を用いて収容ケースを構成すれば、必要に応じて収容ケースをある程度複雑な形状にすることも可能である。
【００２７】
ここで収容ケースの分割数（言い換えると、収容ケースを構成している分割体の個数）は特に限定されないが、部品点数の増加防止という観点からすると、３個以下であることが好ましく、特には２個であることが好ましい。この場合において前記収容ケースは、装飾部材本体の前面側からみて、上下方向に分割された２個の分割体、左右方向に分割された２個の分割体、前後方向に分割された２個の分割体などとすることができる。
【００２８】
なお、回転表示体を収容可能な開口部を備える収容ケースである場合には、前記開口部は２個の分割体同士の間に設けられることがよい。また、かかる開口部に回転表示体を収容する際、その一端側を一方の分割体に形成した第１回転支持部に支持させ、その他端側を他方の分割体に形成した第２回転支持部に支持させることが望ましい。上記のごとく、異なる分割体間に跨るようにして回転表示体を支持させる構成にすることで、弾性変形する前記係合手段が第１回転支持部と第２回転支持部との間に存在することとなる。よって、前記係合手段の弾性変形が、第１回転支持部と第２回転支持部との弾性変形にさらに加わることとなり、開口部に収容された回転表示体を容易に着脱することが可能となる。
【００２９】
この場合、一方の分割体を相対的に弾性変形しやすい構造とし、他方の分割体を相対的に弾性変形しにくい構造としておくことが望ましく、例えば、前記一方の分割体に弾性変形が生じやすい部分として湾曲部を形成しておくことがよい。より具体的にいうと、収容ケースが上下２個の分割体からなりその前面側に開口部を有するような場合、上側分割体を一対の側壁とこれらの側壁間に位置する天井部とを有するものとし、その天井部を、ケースの左右両端部からケース中央部に向かうに従って徐々に高くなる山形状にするとともに、山頂の両側にある傾斜領域をケース内側に向かって湾曲させることがよい。このような構成であると、例えば、上側分割体の左右両壁面を押圧するような力を加えることによって、上側分割体に上方向への弾性変形を容易に生じさせることができる。
【００３０】
一方、収容ケースが上下２個の分割体からなりその前面側に開口部を有するような場合、駆動手段や駆動伝達手段については、相対的に弾性変形しにくい構造を有する下側分割体側に設けられることが好ましい。相対的に弾性変形しやすい上側分割体側に駆動手段や駆動伝達手段を設けると、分割体の弾性変形に伴ってガタツキ等が生じやすくなり、確実な駆動力の伝達が実現できなくなるおそれがあるからである。
【００３１】
駆動手段や駆動伝達手段を下側分割体側に設けた場合、前記下側分割体の内側に隔壁を形成して二重構造とし、その隔壁に前記駆動手段を固定するとともに、その隔壁の内側領域に少なくとも前記駆動伝達手段の一部を配置することがよい。隔壁の形成によって強度が高められた部位であれば、弾性変形の影響が及びにくいため、駆動手段と駆動伝達手段との間のガタツキを確実に防止することができる。また、駆動伝達手段にゴミ等が入りにくく、故障防止につながるという利点もある。
【００３２】
また、上側分割体において開口部が形成されていない後面側には補強部、例えば補強用の段部が形成されていることがよい。その理由は、弾性変形を生じやすくする必要があるのは開口部が形成されている前面側についてであり、開口部が形成されていない後面側についてはむしろ補強を図るほうが好ましいからである。
【００３３】
さらに、前記係合手段として、前記上側分割体の側壁に係合片を形成する一方、前記下側分割体の側壁に前記係合片がケース内側方向から係合可能な係合孔を形成したような場合、前記係合片の周囲にはその係合片を外側から包囲する保護補強部が形成されていることがよい。このような構成であると、係止片が保護補強部によって保護されるばかりでなく、例えば、その保護補強部をケース内側方向に押圧することで上側分割体の天井部に容易に弾性変形を起こさせることができる。
【００３４】
【発明の実施の形態】
以下、本発明を具体化した一実施形態のパチンコ機を図１〜図９に基づき詳細に説明する。なお本実施形態において「左」又は「右」とは、パチンコ機の表側（前面側）から見たときの「左」又は「右」を示すものとする。まず本実施形態のパチンコ機の基本的構成を説明する。
【００３５】
図１は本実施形態のパチンコ機１１を示す全体正面図である。図２は補助表示装置付きの装飾部材３１を示す正面図である。図３は装飾部材３１を示す分解斜視図である。図４は図２のＡ−Ａ線における断面図である。図５は補助表示装置３３の分解斜視図である。図６（ａ）は補助表示装置３３を構成する収容ケース４５（上側分割体４６と下側分割体４７とを連結する前の状態）を示す正面図、（ｂ）は同じくその側面図である。図７（ａ）は補助表示装置３３を構成する収容ケース４５（上側分割体４６と下側分割体４７とを連結した状態）を示す正面図、（ｂ）は同じくその側面図である。図８（ａ）は回転表示体である演出用可動体４１の一部を示す平面図、（ｂ）〜（ｄ）はその表示面域４１ａ，４１ｂ，４１ｃを示す正面図である。図９はギアボックス４０、演出用可動体４１、モータ４２、駆動ギア４３等の位置関係を示す正面図である。
【００３６】
図１に概略的に示されるように、パチンコ機１１を構成する中枠１２の前面側には、機内部に配置された遊技盤１３を透視状態で保護するためのガラス枠を備えた前枠１４と上球皿１５とが、ともに横開き状態で開閉可能に組み付けられている。さらに、前記中枠１２の下部には、下球皿１６や打球発射装置１７等が装着されている。
【００３７】
図１に示されるように、遊技盤１３の遊技領域の略中央には、図柄を変動させて図柄組み合わせゲームを行う図柄表示手段としての図柄表示装置１８が配設されている。そして、遊技盤１３の前面には各種の役物が取り付けられている。具体的にいうと、図柄表示装置１８の下方には、図示しないソレノイドにより開閉動作を行う始動入賞口１９が配設されている。さらに、始動入賞口１９の下方には、図示しないソレノイドにより開閉動作を行う大入賞口２０が配設されている。そのほか、遊技盤１３には普通案内車２２が配設されるとともに、遊技盤１３の左右両サイド部には光による演出を行うための電飾装置２３が配設されている。
【００３８】
図２〜図４に示されるように、本実施形態では、遊技盤１３の遊技領域の略中央には、図柄表示装置１８の装飾及び遊技の演出をするための大型の装飾部材３１が設けられている。この装飾部材３１は、装飾部材本体３２と、図柄表示装置１８による図柄組合せ遊技演出を補助する補助表示装置３３とを備えている。本実施形態の装飾部材本体３２は、合成樹脂からなる枠状の第１枠部材３４と、同じく合成樹脂からなる枠状の第２枠部材３５とによって構成されている。第１枠部材３４には全体的に装飾が施されており、その中央部には表示領域露出部３６が設けられている。第２枠部材３５の中央部にも同様の表示領域露出部３７が設けられている。これらの表示領域露出部３６，３７は、図柄表示装置１８の表示領域を露出させるべく、表示領域の形状・大きさに対応して形成されている。そして、第１枠部材３４の後側面には、第２枠部材３５がネジ止めにより一体的に固定されている。第１枠部材３４の外周部には、遊技盤１３への取り付けの際に遊技盤１３の前面に当接されるフランジ部３８が設けられている。フランジ部３８の複数箇所を図示しないネジで固定することにより、装飾部材本体３２が遊技盤１３に取り付け可能となっている。
【００３９】
図３〜図５に示されるように、本実施形態の補助表示装置３３は、各種部品（補助表示部（回転表示体）としての演出用可動体４１、駆動手段としてのモータ４２、駆動伝達手段としてのギアボックス４０、駆動ギア４３、及び可動体ギア４４）を収容ケース４５内に収容してユニット化した構造を有している。
【００４０】
図５〜図７に示されるように、本実施形態における収容ケース４５は、透明な合成樹脂材料を用いて成形された２個の分割体（上側分割体４６及び下側分割体４７）からなる。この収容ケース４５は、上側分割体４６及び下側分割体４７同士の間であって、かつ装飾部材本体３２への取り付け時に前側となる面に、開口部４８を有している。上側分割体４６及び下側分割体４７は、係合手段（係合片５７及び係合孔５３）同士の係合によって互いに連結されている。
【００４１】
下側分割体４７は、一対の側壁４７ａ，４７ａと底部４７ｂと背部４７ｃとを有している。側壁４７ａの上端部外側には、合わせ部４９が水平方向に向けて突設されている。左右一対ある合わせ部４９の先端には、収容ケース４５を装飾部材本体３２に対して着脱可能に固定する固定手段の一部である略台形状の被係合部５１が一体形成されている。これら被係合部５１は、ケース後方から前方へ行くに従って細くなるテーパ状となっている。なお、図３に示されるように、装飾部材３１を構成する第２枠状部材３５には、収容ケース４５が備える被係合部５１と係合可能な一対の係合部５２が形成されている。かかる被係合部５１と係合部５２とからなる固定手段の利点は、比較的簡単な構成で固定方法も簡易であり、大幅なコスト増も伴わずに済むことである。
【００４２】
図５〜図７に示されるように、下側分割体４７における左右一対の側壁４７ａ，４７ａには、前記係合孔５３がそれぞれ貫通形成されている。下側分割体４７の内側には隔壁５４が一体形成されていて、これにより下側分割体４７がいわば二重構造となっている。隔壁５４の上面には駆動伝達手段を構成するギアボックス４０がネジ止めにより固定され、さらにギアボックス４０の上側にはモータ４２が連結されている。ギアボックス４０内には図示しない複数ギアが収容されており、ボックス下面側には出力軸４０ａが突設されている。出力軸４０ａの先端には駆動伝達手段を構成する駆動ギア４３が一体回転可能に固定されている。なお、この駆動ギア４３の一部は、隔壁５４の内側領域に配置されている。下側分割体４７において駆動ギア４３の下側となる位置には、蓋部材５５がネジ止めされている。
【００４３】
一方、図５〜図７に示されるように、上側分割体４６は、一対の側壁４６ａ，４６ａと天井部４６ｂと背部４６ｃとを有している。側壁４６ａの下端部外側には、下側分割体４７側の合わせ部４９に対して当接する合わせ部５６が水平方向に向けて突設されている。上側分割体４６の側壁４６ａには、弾性変形可能に形成された一対の係合片５７が下方に向かって延設されている。上側分割体４６に設けられた係合片５７は、下側分割体４７に設けられた前記係合孔５３に対して、ケース内側方向から係合可能となっている。このような係合の結果、上側分割体４６と下側分割体４７とが連結されて一体化するようになっている。
【００４４】
上側分割体４６の側壁４６ａにおいて前記係合片５７の周囲には、それら係合片５７を外側から包囲する断面略コ字状の保護補強部５８がそれぞれ形成されている。かかる保護補強部５８は、収容ケース４５の両側を把持する際に押圧される部分としても機能する。また、上側分割体４６において開口部４８が形成されていない側である背部４６ｃには、ケース左右方向に沿って延びる補強用の段部５９が形成されている。その結果、背部４６ｃにおける補強が図られている。前記段部５９の近傍には位置決め突起６６が突設されている。収容ケース４５の取り付け時においてこの位置決め突起６６は機構セット盤（図示略）に設けられた位置決め孔（図示略）に嵌合し、この嵌合により収容ケース４５の後側の位置ずれ防止が図られるようになっている。
【００４５】
図５〜図７に示されるように、上側分割体４６の天井部４６ｂは、前面から見たときに、ケースの左右両端部からケース中央部に向かうに従って徐々に高くなる山形状となるように形成されている。天井部４６ｂにおいて山頂となる中央部には基板支持部６０が凹設され、その基板支持部６０には位置検出スイッチ６１を実装した基板６２が支持されている。基板支持部６０の左右両側にある傾斜領域は、ケース内側に向かって湾曲する湾曲部６３となっている。従って、上側分割体４６の左右両側壁４６ａを内方に押圧するような力を加えることにより、上側分割体４６に弾性変形を容易に生じさせることが可能となっている。このときの弾性変形の様子は図７（ａ）にて破線で示されている。即ち、天井部４６ｂの中央部分が全体的に上方向に移動し、開口部４８が上下方向に広がるような変形が生じる。つまり、本実施形態の収容ケース４５を構成する２個の分割体４６，４７のうち、かかる天井部４６ｂを持つ上側分割体４６のほうが、相対的に弾性変形しやすい構造を有したものとなっている。これに対して、二重構造を持つ下側分割体４７のほうが、相対的に弾性変形しにくい構造を有したものとなっている。
【００４６】
上側分割体４６の天井部４６ｂにおいて、モータ４２の上方及び後方となる領域には、配線引き出し用切欠部６４が形成されている。そして、この配線引き出し用切欠部６４を介して収容ケース４５の外部にモータ４２や位置検出スイッチ６１からの配線（図示略）が引き出されるようになっている。なお、このような配線引き出し用切欠部６４があることで、モータ４２が発生した熱が収容ケース４５内にこもりにくくなり、熱を効率よく放散させることができる。
【００４７】
図５，図８，図９に示されるように、本実施形態の補助表示装置３３は、可変表示により図柄表示装置１８による図柄組合せ遊技演出を補助する回転表示体としての演出用可動体４１を備えている。演出用可動体４１は、図８（ａ）に示されるように側面に３つの表示面域４１ａ，４１ｂ，４１ｃを備える略三角柱状の構造物である。図８（ｂ），（ｃ），（ｄ）に示されるように、三角柱部分における各表示面域４１ａ，４１ｂ，４１ｃには、それぞれ異なる図柄（具体的には、表情、前足の位置、背景色などが異なる三匹の猫の図柄）の彫刻が施されている。そして、図柄表示装置１８による図柄組合せゲームに合わせて前記モータ４２に通電を行うと、モータ４２の回転駆動力がギアボックス４０及び駆動ギア４３を介して可動体ギア４４に伝達される結果、演出用可動体４１が所定方向に回転するようになっている。そのとき、遊技者側を向く表示面域４１ａ，４１ｂ，４１ｃが周期的に入れ替わり、これにより補助表示装置３３の図柄が可変表示される結果、図柄表示装置１８による図柄組合せ遊技演出が補助される。
【００４８】
図５，図９に示されるように、演出用可動体４１の上端面側には、インデックス部６５を有する上側円盤６７が設けられている。インデックス部６５は位置検出スイッチ６１の有するスリットを通過するようになっていて、スリット通過時に基板６２を介して外部にセンサ出力信号が出力されるように構成されている。そして、このセンサ出力信号に基づいて演出用可動体４１の回転位置が検出されるようになっている。一方、演出用可動体４１の下端面側には、駆動伝達手段の一部である可動体ギア４４を周面に有する下側円盤６８が設けられている。この可動体ギア４４は上述した駆動ギア４３と噛合している。
【００４９】
上側円盤６７の中心部には第２回転軸部７１が突設されており、下側円盤６８の中心部には第１回転軸部７２が突設されている。本実施形態の場合、第１回転軸部７２の長さＬ１は、第２回転軸部７１の長さＬ２に比べて短く（第２回転軸部７１の半分以下の長さに）形成されている。
【００５０】
図５，図６，図７に示されるように、上側分割体４６の天井部４６ｂにおける中央部（即ち開口部４８の開口縁上部中央部となる位置）には、ケース前方向に向かって延びる上側突片８１が一体形成されている。一方、下側分割体４７の底部４７ｂにおける中央部（即ち開口部４８の開口縁下部中央部となる位置）には、同様にケース前方向に向かって延びる下側突片８３が一体形成されている。上側突片８１の略中央部には、演出用可動体４１の上端に形成された第２回転軸部７１を回転可能に支持する第２回転軸受部８２が、第２回転支持部として設けられている。また、下側突片８３の略中央部には、演出用可動体４１の下端に形成された第１回転軸部７２を回転可能に支持する第１回転軸受部８４が、第１回転支持部として設けられている。つまり、収容ケース４５における開口部４８の縁部には、第１回転軸受部８４及び第２回転軸受部８２が互いに対向した位置関係で形成されている。そして、演出用可動体４１はこれら一対の回転軸受部８２，８４によって回転可能に支持されており、いわば２個の異なる分割体４６，４７間に跨った状態となっている。また、演出用可動体４１は、ケース前側から見て収容ケース４５の開口部４８のほぼ中央部、言い換えるとケース左右両端部から離間した位置に配置されている。
【００５１】
図３，図４に示されるように、装飾部材本体３２の上部には、収容ケース４５を嵌め込むようにして収容するスペースであるケース嵌入部９１が設けられている。前記ケース嵌入部９１は第２枠部材３５の後面側にて開口する入口部９３を有しており、収容ケース４５はケース嵌入部９１に対しこの入口部９３を介して装飾部材本体３２の後方から前方へと嵌入されるようになっている。前記一対の係合部５２は、鉤状に形成されるとともに、ケース嵌入部９１の入口部９３の左右両端に離間した状態で形成されている。収容ケース４５の嵌入時には、一対の係合部５２は左右方向に広がるような弾性変形を生じるようになっている。
【００５２】
第２枠部材３５のケース嵌入部９１において係合部５２のすぐ前方位置には、略台形状のガイド部９４が凹設されている。このガイド部９４は、被係合部５１を係合部５２に係合させる際に被係合部５１を所定の係合位置まで案内するためのものであって、前記被係合部５１と同様に装飾部材本体３２の後方から前方へ行くに従って細くなるテーパ状となっている。また、このテーパ状のガイド部９４により、所定係合位置に至った被係合部５１の前方向への移動が規制される。
【００５３】
第１枠部材３４の上部には矩形状をした回転表示体視認用の窓部９２が形成されており、その回転表示体視認用の窓部９２を介して遊技者側から演出用可動体４１の表示面域４１ａ，４１ｂ，４１ｃが視認可能となっている。なお、前記窓部９２の前面側における開口面積は、表示面域４１ａ，４１ｂ，４１ｃのみを露出可能な程度の大きさに設定されている。このため、収容ケース４５内に収容されている他の部品（即ちモータ４２、ギアボックス４０、駆動ギア４３、可動体ギア４４等）は、第１枠部材３４により隠されてしまい、遊技者側から殆ど視認できないようになっている。
【００５４】
図４に示されるように、収容ケース４５の開口部４８における延出箇所（上側突片８１及び下側突片８３）に形成された第２回転軸受部８２及び第１回転軸受部８４は、前記窓部９２内に挿入されるような構造となっている。このとき、第２回転軸受部８２及び第１回転軸受部８４は、窓部９２の上下内壁面９２ａ，９２ｂにほぼ接触した状態（または極めて近接した状態）となる。よって、第２回転軸受部８２の上方向への変形や、第１回転軸受部８４の下方向への変形ができないようになっている。
【００５５】
次に、上記の装飾部材３１の分解・組み立ての仕方等について説明する。
【００５６】
装飾部材本体３２から補助表示装置３３を取り外す場合には、図２ないし図３に示す前記一対の係合部５２を左右方向に押し広げて、係合部５２と収容ケース４５側の被係合部５１との係合を解除する。そして、この係合解除状態において収容ケース４５を装飾部材３１の後方へとスライド移動させ、補助表示装置３３をケース嵌合部９１から引き抜くようにする。このようにして補助表示装置３３を取り外した後、さらに収容ケース４５から演出用可動体４１を取り外す場合には以下のようにする。
【００５７】
即ち、図５あるいは図７に示す収容ケース４５の上側分割体４６の両側壁４６ａ下部（即ち保護補強部５８がある位置）を把持し、上側分割体４６を左右両側からケース内側方向に向けて押圧する力を加える。その結果、上側分割体４６の天井部４６ｂの中央部分が全体的に上方向に移動し、開口部４８が上下方向に広がるような弾性変形が生じる。具体的には、このとき第２回転軸受部８２が演出用可動体４１から離間し、演出用可動体４１の支持を解除しやすい状態となる。よって、このような状態を維持しつつ、演出用可動体４１を上方向（即ち第２回転軸受部８２の方向）に移動させると、第１回転軸受部８４による第１回転軸部７２の支持が容易に解除される。なお、前述のように、上側分割体４６を左右両側から押圧することなく、直接第２回転軸受部８２を持って上方に広げた状態で演出用可動体４１を上方に移動させつつ、第１回転軸受部８４による第１回転軸部７２の支持を解除させることもできる。
【００５８】
また、上側分割体４６を左右両側からケース内側方向に向けて押圧する力を加えた場合には、上側分割体４６に設けられた係合片５７がケース内方に引っ込むような弾性変形が起こり、下側分割体４７に設けられた係合孔５３と前記係合片５７との係合を解除しやすくなる。よって、係合孔５３と前記係合片５７との係合を完全に解除し、連結されて一体化していた上側分割体４６と下側分割体４７とを分離させれば、モータ４２や駆動ギア４３等が露出した状態となる。従って、補助表示装置３３のメンテナンス等を容易に行うことが可能となる。
【００５９】
また、収容ケース４５に演出用可動体４１を組み付ける場合には、前述した取り外しのときと逆の過程を辿ればよい。即ち、第２回転軸受部８２を上方向に弾性変形させておくとともに、このような状態を維持しつつ、演出用可動体４１の第２回転軸部７１を第２回軸受部８２に支持させる。次に、演出用可動体４１を全体的に下方向（即ち第１回転軸受部８４の方向）に移動させ、第１回転軸部７２を第１回軸受部８４に支持させれば、演出用可動体４１の組み付けが完了する。
【００６０】
このようにして収容ケース４５の開口部４８に演出用可動体４１を組み付けた後、さらに補助表示装置３３を装飾部材本体３２に組み付ける場合には以下のようにする。即ち、補助表示装置３３を装飾部材３１の後方から前方へとスライド移動させることで、前記入口部９３を介してケース嵌入部９１に補助表示装置３３を嵌入する。収容ケース４５の被係合部５１はガイド部９４によって所定の係合位置まで案内された後、そのガイド部９４に嵌り合った状態となる。このとき、被係合部５１の後端部が鉤状に形成された係合部５２に係合する結果、収容ケース４５がケース嵌入部９１に嵌入された状態で確実にかつ安定的に保持される。そして、収容ケース４５の前後方向のガタツキも確実に防止される。また、前記窓部９２内に挿入された第１回転軸受部８２及び第２回転軸受部８４は、窓部９２の上下内壁面９２ａ，９２ｂにほぼ接触する結果、弾性変形不能な状態となるとともに、収容ケース４５の装飾部材本体３２に対するガタツキが確実に防止される。
【００６１】
従って、本実施形態によれば以下のような効果を得ることができる。
【００６２】
（１）本実施形態によると、ギアボックス４０、演出用可動体４１、モータ４２、駆動ギア４３等を収容ケース４５に収容することで、補助表示装置３３がユニット化されている。そして、このユニット化された補助表示装置３３は、固定手段である被係合部５１と係合部５２との係合によって、装飾部材本体３２に着脱可能に固定される。このため、補助表示装置３３にトラブルが発生した場合には、固定手段による固定を解除して、補助表示装置３３のみを装飾部材本体３２から取り外して交換することができる。そして、装飾部材本体３２についてはリユースすることができる。よって、コスト的にも環境的にも有利である。また、装飾部材本体３２から補助表示装置３３のみを取り外した状態で補助表示装置３３のメンテナンスや修理等を行うことができる。よって、効率よくこれらの作業を行うことができる。
【００６３】
（２）本実施形態の装飾部材３１の場合、補助表示装置３３は、３つの表示面域４１ａ，４１ｂ，４１ｃを有する演出用可動体４１を備える一方、収容ケース４５は、弾性を有するとともに演出用可動体４１を収容可能な開口部４８を備えている。そして、この開口部４８には、演出用可動体４１を回転可能に支持する第１回転軸受部８４及び第２回転軸受部８２が対向して形成されている。前記収容ケース４５は合成樹脂製であって好適な弾性を有しており、加圧によって弾性変形可能である。しかも、収容ケース４５における開口部４８は他の部分に比べて構造上剛性が低いため、そこに形成された第１回転軸受部８４及び第２回転軸受部８２に比較的容易に弾性変形を生じさせることができる。従って、第１回転軸受部８４及び第２回転軸受部８２のうちの少なくとも一方を、演出用可動体４１から離間する方向に加圧して弾性変形させれば、演出用可動体４１の支持を解除して収容ケース４５から演出用可動体４１を容易に取り外すことができる。
【００６４】
（３）本実施形態の装飾部材３１では、第１回転軸受部８４及び第２回転軸受部８２は、収容ケース４５の開口部４８から外方に向けて延出された上側突片８１及び下側突片８３の箇所に形成されている。かかる箇所には加圧時に応力が集中しやすいため、より弱い加圧力で弾性変形を生じさせることができる。従って、演出用可動体４１の支持をいっそう簡単に解除することができ、演出用可動体４１の取り外し・組み付け作業の容易化を図ることができる。
【００６５】
（４）本実施形態の装飾部材４１では、第１回転軸部７２の長さＬ１が第２回転軸部７１の長さＬ２に比べて短く形成されている。従って、第２回転支持部側の支持の解除に比べて、第１回転支持部側の支持の解除を容易に行うことができる。即ち、第１回転支持部側の支持の解除をする際に必要な第１回転軸部７２及び第１回転軸受部８４の相対移動距離は、第２回転支持部側の支持の解除をする際に必要な第２回転軸部７１及び第２回転軸受部８２の相対移動距離よりも短くて済むからである。よって、第１回転支持部側である下端のほうから先に演出用可動体４１を簡単に取り外すことができる。また、この構成によれば、前述した取り外しと逆の過程を辿ることにより、演出用可動体４１を収容ケース４５に容易に組み付けることができる。
【００６６】
（５）本実施形態の装飾部材３１では、収容ケース４５が上下方向に分割された２個の分割体（即ち上側分割体４６及び下側分割体４７）からなるとともに、これらが係合片５７と係合孔５３との係合によって互いに連結されている。従って、係合片５７と係合孔５３との係合を解除して上側分割体４６及び下側分割体４７を分離することにより、収容ケース４５を容易に開けることができる。このため、収容ケース４５内に収容されている演出用可動体４１以外の構成部材、つまりモータ４２や駆動ギア４３などについても露出させることができ、それらを極めて簡単に着脱することができる。
【００６７】
なお、本発明の実施形態は以下のように変更してもよい。
【００６８】
・上記実施形態では、３つの表示面域４１ａ，４１ｂ，４１ｃを有する演出用可動体４１を回転表示体として用いていたが、表示面域４１ａ，４１ｂ，４１ｃの数を２つ以下にしたり、４つ以上にしたりする変更を行っても勿論よい。また、上記実施形態では演出用可動体４１を縦置き状態で縦軸を中心として回転するように配設していたが、これに限定されることはなく、例えば演出用可動体４１を横置き状態で横軸を中心として回転するように配設してもよい。
【００６９】
・また、上記実施形態のような演出用可動体４１とは構造や形態の異なる回転表示体を用いて補助表示装置３３を構成することも許容される。
【００７０】
・上記実施形態では収容ケース４５を２個の分割体４６，４７からなるものとして具体化したが、これに限定されることはなく、３個以上の分割体からなるものとして具体化することも可能である。
【００７１】
・上記実施形態では、装飾部材本体３２における補助表示手段３３の固定箇所を表示領域露出部３６の上方としていたが、例えば表示領域露出部３６の側方や下方に補助表示手段３３を固定するようにしてもよい。また、１つの装飾部材本体３２について複数の補助表示手段３３を固定する構成を採用することも可能である。
【００７２】
・本発明の補助表示装置付きの装飾部材３１は、実施形態にて示したようなパチンコ機１１における装飾部材３１として具体化されるばかりでなく、パチンコ機１１以外のものであって、図柄表示装置１８による図柄組合せ遊技演出を行う遊技機、例えばスロット遊技機や遊技球を用いたパチンコ式スロット遊技機について広く適用されることが可能である。
【００７３】
次に、特許請求の範囲に記載された技術的思想のほかに、前述した実施形態によって把握される技術的思想を以下に列挙する。
（１）請求項１乃至５のいずれか１項において、前記補助表示装置は、前記補助表示部として少なくとも１つの表示面域を有する回転表示体と、前記回転表示体を回転駆動させる駆動手段と、前記駆動手段の駆動力を前記回転表示体に伝達する駆動伝達手段と、これらを収容する収容ケースとを有することを特徴とする、遊技機における補助表示装置付きの装飾部材。
（２）請求項２乃至５のいずれか１項において、前記収容ケースに被係合部を形成する一方、前記装飾部材本体に前記収容ケースの被係合部と係合可能な係合部を設けることを特徴とする、遊技機における補助表示装置付きの装飾部材。
（３）請求項２乃至５のいずれか１項において、前記収容ケースは前記装飾部材本体に設けられたケース嵌入部に対して嵌入された状態で前記固定手段により固定されることを特徴とする、遊技機における補助表示装置付きの装飾部材。
（４）請求項２乃至５のいずれか１項において、前記収容ケースは前記装飾部材本体に設けられたケース嵌入部に対して嵌入された状態で前記固定手段により固定されるとともに、前記ケース嵌入部は、前記装飾部材本体の後面側に開口する入口部を有することを特徴とする、遊技機における補助表示装置付きの装飾部材。
（５）請求項２乃至５のいずれか１項において、前記開口部は前記収容ケースの前面側に形成されるとともに、前記第１回転支持部及び前記第２回転支持部は、ケース前側から見て、前記開口部の端部から離間した位置に配置されていることを特徴とする、遊技機における補助表示装置付きの装飾部材。
（６）請求項３乃至５のいずれか１項において、前記収容ケースの開口部における延出箇所に形成された前記第１回転支持部及び前記第２回転支持部は、前記装飾部材本体に設けられた回転表示体視認用の窓部内に挿入されることを特徴とする、遊技機における補助表示装置付きの装飾部材。
（７）請求項５において、前記収容ケースは２個の分割体からなり、前記開口部は前記２個の分割体同士の間に設けられ、前記回転表示体は、その一端側が一方の分割体に形成した前記第１回転支持部に支持され、その他端側が他方の分割体に形成した前記第２回転支持部に支持されていることを特徴とする、遊技機における補助表示装置付きの装飾部材。
（８）請求項５において、前記収容ケースは、相対的に弾性変形しやすい構造を有する上側分割体及び相対的に弾性変形しにくい構造を有する下側分割体の２個からなることを特徴とする、遊技機における補助表示装置付きの装飾部材。
（９）請求項５において、前記収容ケースは、上側分割体及び下側分割体の２個からなり、前記開口部は前記上側分割体と前記下側分割体との間に設けられ、前記上側分割体は、一対の側壁とそれら側壁間に位置する天井部とを有するとともに、その天井部は、ケース両端部からケース中央部に向かうに従って徐々に高くなる山形状であり、かつ山頂の両側にある傾斜領域をケース内側に向かって湾曲させた形状であることを特徴とする、遊技機における補助表示装置付きの装飾部材。
（１０）請求項５において、前記収容ケースは、相対的に弾性変形しやすい構造を有する上側分割体及び相対的に弾性変形しにくい構造を有する下側分割体の２個からなり、前記駆動手段及び前記駆動伝達手段は、前記下側分割体側に設けられていることを特徴とする、遊技機における補助表示装置付きの装飾部材。
（１１）請求項５において、前記収容ケースは、相対的に弾性変形しやすい構造を有する上側分割体及び相対的に弾性変形しにくい構造を有する下側分割体の２個からなり、前記下側分割体の内側に隔壁を形成して二重構造とし、その隔壁に前記駆動手段を固定するとともに、その隔壁の内側領域に少なくとも前記駆動伝達手段の一部を配置することを特徴とする、遊技機における補助表示装置付きの装飾部材。
（１２）請求項５において、前記収容ケースは、相対的に弾性変形しやすい構造を有する上側分割体及び相対的に弾性変形しにくい構造を有する下側分割体の２個からなり、前記上側分割体の側壁には係合片とその係合片を外側から包囲する保護補強部とが形成され、前記下側分割体の側壁には前記係合片がケース内側方向から係合可能な係合孔が形成されていることを特徴とする、遊技機における補助表示装置付きの装飾部材。
【００７４】
【発明の効果】
以上詳述したように、請求項１〜５に記載の発明によれば、補助表示装置のみを交換することが可能な遊技機における補助表示装置付きの装飾部材を提供することができる。
【図面の簡単な説明】
【図１】本実施形態のパチンコ機を示す全体正面図。
【図２】補助表示装置付きの装飾部材を示す正面図。
【図３】装飾部材を示す分解斜視図。
【図４】図２のＡ−Ａ線における断面図。
【図５】補助表示装置を示す分解斜視図。
【図６】（ａ）は補助表示装置を構成する収容ケース（上側分割体と下側分割体とを連結する前の状態）を示す正面図、（ｂ）は同じくその側面図。
【図７】（ａ）は補助表示装置を構成する収容ケース（上側分割体と下側分割体とを連結した状態）を示す正面図、（ｂ）は同じくその側面図。
【図８】（ａ）は演出用可動体の一部を示す平面図、（ｂ）〜（ｄ）はその表示面域を示す正面図。
【図９】ギアボックス、演出用可動体、モータ、駆動ギア等の位置関係を示す正面図。
【符号の説明】
１１…遊技機としてのパチンコ機
１８…図柄表示装置
３１…補助表示装置付きの装飾部材
３２…装飾部材本体
３３…補助表示装置
４１…補助表示部（回転表示体）としての演出用可動体
４１ａ，４１ｂ，４１ｃ…表示面域
４５…収容ケース
４６…上側分割体
４７…下側分割体
４８…開口部
５１…固定手段を構成する被係合部
５２…固定手段を構成する係合部
５３…係合手段としての係合孔
５７…係合手段としての係合片
７１…第２回転軸部
７２…第１回転軸部
８２…第２回転支持部としての第２回転軸受部
８４…第１回転支持部としての第１回転軸受部
Ｌ１…第１回転軸部の長さ
Ｌ２…第２回転軸部の長さ
【図１】
2004073347.tif 000003
【図２】
2004073347.tif 000004
【図３】
2004073347.tif 000005
【図４】
2004073347.tif 000006
【図５】
2004073347.tif 000007
【図６】
2004073347.tif 000008
【図７】
2004073347.tif 000009
【図８】
2004073347.tif 000010
【図９】
2004073347.tif 000011